(57)【要約】【課題】少なくとも奥行き側を小形化することのできる照射方向を可変可能な照明器具を提供する。【解決手段】照明器具１は、光源２と、球状体の１／２以下に形成されたカバー体３と、カバー体３の内側に取り付けられ、前面側に光源２が配設され、カバー体３の球状の中心Ｓ１を中心として当該球状の半径で形成される仮想球面よりも前記中心Ｓ１側の背面側の部位に設けられた被押圧部１７ａを有する灯体５と、開口１６の縁部でカバー体３を変向可能に支持する器具本体４と、灯体５の被押圧部１７ａに弾性的に接する押圧部６ａ，６ｃを有する弾性部材６とを具備している。【選択図】図１
2008235179.tif 000002
【特許請求の範囲】
【請求項１】
光源と；
球状体の１／２以下に形成されてなるカバー本体および前記球状体の中心軸方向に沿って形成され、前記光源からの光が出射される出射部を有するカバー体と；
部材取付け部および自身の下面にカバー体の球状外面の最大径より小径な開口を有し、カバー体の出射部を前記開口に通して自身の下面から突出させるとともに前記開口の縁部で前記球状外面を回動可能に受けてカバー体を変向可能に支持する器具本体と；
カバー体の内側に取り付けられ、前面側にカバー体の出射部に対向するように前記光源が配設され、カバー体の球状の中心を中心として当該球状の半径で形成される仮想球面よりも前記中心側の背面側の部位に設けられた被押圧部を有する灯体と；
器具本体の部材取付け部に取り付けられる固定部およびこの固定部間に亘って設けられて灯体の被押圧部に弾性的に接する押圧部を有してなり、灯体を介してカバー体を器具本体の開口の縁部に押し付ける弾性部材と；
を具備していることを特徴とする照明器具。
【請求項２】
灯体の背面側の部位は、略円錐体に形成され、被押圧部は略円錐体の頂点であることを特徴とする請求項１に記載の照明器具。
【請求項３】
灯体の被押圧部は、カバー体の球状の中心に位置することを特徴とする請求項１または２記載の照明器具。
【発明の詳細な説明】
【技術分野】
【０００１】
本発明は、光源を具備する灯体の向きを自在に可変して光の照射方向を調節できる照明器具に関する。
【背景技術】
【０００２】
従来、この種の照明器具として、例えば特許文献１に示す照明器具が提案されている。すなわち、光源が内装された略球状の灯具と、その灯具径より小径の円形開口を有し、その開口内周縁上に灯具が載置される器具本体と、器具本体に固定されるとともに灯具の上部に当接して灯具の照射方向を可変自在に押さえる押さえ部を有する弾性体とを有してなる照明器具が提案されている。
【０００３】
この従来技術の照明器具は、例えば天井などの造営物に埋設されるダウンライトとして使用され、器具本体の円形開口の縁とこれに押し付けられた灯具との間の摩擦力、および、灯具とこれに弾性的に接した押さえ部との間の摩擦力により、灯具が静止状態に保持されている。そして、器具本体の円形開口の下側から灯具を前記摩擦力に抗して回転操作して、灯具の向きを任意に変えることにより、灯具からの光の照射方向を調節できるものである。
【特許文献１】特開２００５−１４９７９０号公報（第３−４頁、第１図）
【発明の開示】
【発明が解決しようとする課題】
【０００４】
特許文献１の照明器具は、灯具が略球状に形成され、弾性体の押さえ部が灯具の上部に当接する構成である。このため、照明器具の奥行きの大きさが略球状の灯具により制限されるので、照明器具を小形化しにくいものである。特に、航空機や電車等の車両などにおいては、埋設される奥行き側の配設空間が確保されづらく、少なくとも奥行き側が小形化された照明器具が求められている。
【０００５】
本発明は、少なくとも奥行き側を小形化することのできる照射方向を可変可能な照明器具を提供することを目的とする。
【課題を解決するための手段】
【０００６】
請求項1に記載の照明器具の発明は、光源と；球状体の１／２以下に形成されてなるカバー本体および前記球状体の中心軸方向に沿って形成され、前記光源からの光が出射される出射部を有するカバー体と；部材取付け部および自身の下面にカバー体の球状外面の最大径より小径な開口を有し、カバー体の出射部を前記開口に通して自身の下面から突出させるとともに前記開口の縁部で前記球状外面を回動可能に受けてカバー体を変向可能に支持する器具本体と；カバー体の内側に取り付けられ、前面側にカバー体の出射部に対向するように前記光源が配設され、カバー体の球状の中心を中心として当該球状の半径で形成される仮想球面よりも前記中心側の背面側の部位に設けられた被押圧部を有する灯体と；器具本体の部材取付け部に取り付けられる固定部およびこの固定部間に亘って設けられて灯体の被押圧部に弾性的に接する押圧部を有してなり、灯体を介してカバー体を器具本体の開口の縁部に押し付ける弾性部材と；を具備していることを特徴とする。
【０００７】
本発明および以下の各発明において、特に言及しない限り、各構成は以下による。
【０００８】
カバー体の出射部は、光源からの光が出射される部位であり、例えば球状外面の頂点側に形成された開口、当該頂点側に配設された透光部材などとすることができる。また、カバー体が透光部材であり、球状外面の頂点側としてもよい。
【０００９】
「球状外面の最大径」とは、球状外面の部位間の最も離間している距離をいう。
【００１０】
器具本体の開口は、円形に限らず、六角形や八角形等の多角形など、その形状は特に問わない。しかし、カバー体が球状外面を有するので、カバー体の支持や美観の観点から円形が好ましい。
【００１１】
「小径の開口」とは、カバー体が開口を通り抜けることができないことを意味する。
【００１２】
開口の縁部は、開口の上端、下端の他、端面を包含する。また、開口の縁部は、一部または全体でカバー体の球状外面を回転かつ支持可能であればよいものである。
【００１３】
「カバー体の球状外面を回動可能に」とは、光源からの光の出射方向を可変できることを意味する。
【００１４】
本発明によれば、灯体の被押圧部がカバー体の球状の中心を中心として当該球状の半径で形成される仮想球面よりも前記中心側の背面側の部位に設けられるで、カバー体は、球状に形成されるよりも奥行き側の大きさを小さく形成可能であるとともに、所定の照射方向に変向可能である。
【００１５】
請求項２に記載の照明器具の発明は、請求項１に記載の照明器具において、灯体の背面側の部位は、略円錐体に形成され、被押圧部は略円錐体の頂点であることを特徴とする。
【００１６】
本発明によれば、灯体の被押圧部が略円錐体の頂点であるので、弾性部材の押圧部が灯体を器具本体の開口側に均等に押し付け、カバー体の球状外面が器具本体の開口の縁部に均等に押し付けられる。
【００１７】
請求項３に記載の照明器具の発明は、請求項１または２記載の照明器具において、灯体の被押圧部は、カバー体の球状の中心に位置することを特徴とする。
【００１８】
本発明によれば、灯体は、その背面側の大きさがより小さく形成され、これにより、照明器具は、奥行き側がより小形化される。
【発明の効果】
【００１９】
請求項１の発明によれば、カバー体は、球状に形成されるよりも奥行き側の大きさが小さく形成されるので、奥行き側が小形化された照明器具を構成することができて、この照明器具を奥行き側の配設空間が確保されづらい造営物に容易に取り付けることができる。
【００２０】
請求項２の発明によれば、灯体の背面側の部位が略円錐体に形成され、灯体の被押圧部が略円錐体の頂点であるので、灯体の背面側の構造が簡素となって灯体を比較的容易にかつ安価に形成することができるとともに、カバー体の球状外面が器具本体の開口の縁部に均等に押し付けられる結果、器具本体がカバー体の変向を安定して支持することができる。
【００２１】
請求項３の発明によれば、灯体の被押圧部がカバー体の球状の中心に位置するように形成することにより、奥行き側がより小形化された照明器具を構成することができ、この照明器具を奥行き側の配設空間が確保されづらい造営物により容易に取り付けることができる。
【発明を実施するための最良の形態】
【００２２】
以下、本発明の一実施の形態について、図面を参照して説明する。まず、本発明の第１の実施形態について説明する。
【００２３】
図１は、本発明の第１の実施形態を示す照明器具の概略断面図、図２は、同じく照明器具の概略上面図である。
【００２４】
図１において、照明器具１は、光源２、カバー体３、器具本体４、灯体５および弾性部材６を有して構成されている。
【００２５】
光源２は、例えば白色発光をする面実装形の発光ダイオード（ＬＥＤ）からなり、伝熱性を有する基板７に実装されている。そして、光源２の前面側には、光源２を被うようにして略円錐状のレンズ８が配置されている。レンズ８は、例えばポリカーボネート（ＰＣ）樹脂からなり、光源２から放射された光を所定の方向に制御して出射するものであり、レンズホルダ９に支持されている。レンズホルダ９は、例えばアルミニウム（Ａｌ）からなり、二つ割りのホルダ部材の組み合わせによって略円筒体に形成されている。
【００２６】
カバー体３は、例えばポリブチレンテレフタレート（ＰＢＴ）樹脂からなり、カバー本体３Ａおよび出射部としての出射凸部１０を有している。カバー本体３Ａは、球状体の１／２である半球体に形成され、球状外面３ａおよび内面側に環状座として形成された周段部１１を有し、球状体の中心Ｓ１と半球体の頂点Ｔ１を結ぶ中心軸に対して回転対称の椀形状に形成されている。出射凸部１０は、球状体の中心軸方向に沿って形成され、カバー本体３Ａと一体に球状外面３ａの頂点Ｔ１側から突出された円筒状に形成されている。出射凸部１０以外の球状外面３ａは、半球体の外面となっている。出射凸部１０の先端は、開口されている。そして、出射凸部１０には、出射凸部１０の先端とレンズ８の出射面が面一となるようにレンズホルダ９が嵌め込まれている。出射凸部１０は、光源２からの光が出射される。
【００２７】
また、出射凸部１０と反対側のカバー本体３Ａも開口されており、この開口端部において球状外面３ａの外径は最大となっている。開口端部の開口の中心がカバー体３の球状の中心Ｓ１となっている。そして、周段部１１には、灯体５を取り付けるためのねじ孔１２が形成されている。
【００２８】
器具本体４は、アルミニウム（Ａｌ）からなり、所定の高さを有する円筒部１３およびこの円筒部１３の下端部に一体に形成され所定の肉厚を有する円形の基台部１４を有している。円筒部１３は、器具本体４の奥行き側を形成している。また、円筒部１３の上端部は、完全に開口されている。
【００２９】
そして、円筒部１３の上端部側には、部材取付け部としての略長方形状の孔１５が複数形成されている。孔１５は、円筒部１３の上記開口の中心に対して互いに９０°離間した位置に設けられている。また、基台部１４の下面１４ａ（器具本体４の下面４ａ）には、カバー体３の球状外面３ａの最大径Ｄ１よりも小径な開口１６が形成されている。この開口１６の端面は、球状外面３ａと同一形状に形成されている。
【００３０】
カバー体３の出射凸部１０および頂点Ｔ１側の球状外面３ａは、開口１６に通されて、器具本体４の下面４ａから突出している。そして、球状外面３ａは、開口１６の縁部（上縁、下縁および端面）で受けられている。これにより、球状外面３ａは、開口１６の縁部で支持されるとともに、開口１６の端面に沿って回動できる。球状外面３ａが開口１６の縁部で回動されることにより、カバー体３の出射凸部１０の向きが変化される。ここで、開口１６の大きさ（直径）は、球状外面３ａが所定範囲に回動されるように、すなわちカバー体３が所定の変向範囲となるように設定されている。また、図１に示すように、器具本体４の開口１６にカバー体３の球状外面３ａおよび出射凸部１０が回転対称となるように支持されているときに、器具本体４の下面４ａから突出している球状外面３ａよりも下面４ａより器具本体４内の球状外面３ａの表面積が大きくなるように、開口１６の大きさが設定されている。これにより、カバー体３が設定された最大に回動されても、カバー体３の球状外面３ａの後端側部位３ｂが下面４ａより突出することが防止される。
【００３１】
そして、カバー体３は、出射凸部１０の側面１０ａが器具本体４の下面４ａに当接されるまで回動可能となっている。また、図１中、左右に回動されると、球状外面３ａは、長さＨ１の範囲に亘って回動される。出射凸部１０は、カバー体３の回動範囲を規制するストッパとなっている。また、長さＨ１は、カバー体３の球状外面３ａの最大回動範囲に対応するカバー体３の球状の中心Ｓ１と頂点Ｔ１を結ぶ中心軸方向の長さである。すなわち、球状外面３ａの最大回動範囲を前記中心軸に前記中心軸に直交する方向から投影したときの前記中心軸に投影された長さである。
【００３２】
灯体５は、それぞれアルミニウム（Ａｌ）からなり、背面側の部位に設けられた略円錐体１７および前面側の部位に設けられた取付部材１８を有している。略円錐体１７は、略円錐形状に形成され、図２に示すように、外周縁から中心Ｓ２に向かう凹所２０が形成されている。この凹所２０は、中心Ｓ２に対して互いに９０°間隔で設けられている。凹所２０の底面２０ａには、点灯装置からのリード線（図示しない。）が導入される孔２１が形成され、さらに、図１に示すように、複数の孔２２が設けられている。
【００３３】
そして、外周縁側の孔２２からねじ２３がカバー体３の周段部１１のねじ孔１２に螺着されている。これにより、略円錐体１７は、カバー体３の周段部１１にねじ２３により固定されている。すなわち、略円錐体１７は、カバー体３の内側に取り付けられている。
【００３４】
略円錐体１７は、カバー体３の内側に取り付けられた状態で、その頂点１７ａがカバー体３の球状の中心Ｓ１を中心として球状の半径で形成される仮想球面（図１中、破線で示す。）よりも中心Ｓ１側に位置し、かつ頂点１７ａの器具本体４の下面４ａからの距離Ｈ２がカバー体３の球状外面３ａの回動範囲の長さＨ１よりも大きくなるように形成されている。なお、略円錐体１７の頂点１７ａは、弾性部材６によって押圧される被押圧部となっている。
【００３５】
そして、取付部材１８は、円盤状に形成され、略円錐体１７の中心Ｓ２側の孔２２に対向してねじ孔２４が設けられている。そして、孔２２を経由してねじ孔２４に螺着されたねじ２３により、略円錐体１７に固定されている。また、取付部材１８は、略円錐体１７の凹所２０の底面２０ａに設けられた孔２１に対向して図示しない貫通孔が形成されている。この貫通孔には、孔２１を経由して点灯装置からのリード線が導入されている。
【００３６】
また、取付部材１８は、カバー体３の出射凸部１０に対向するようにして、基板８およびレンズホルダ９を例えば接着剤により固着している。そして、基板８には、点灯装置からのリード線が接続されている。こうして、光源２は、灯体５の前面側に配設され、リード線から電源が供給されて点灯し、その放射光が出射凸部１０から出射されるようにしている。
【００３７】
弾性部材６は、アルミニウム（Ａｌ）製の薄板からなり、図２に示すように、十字状に形成された十字板部６ａおよび器具本体４の円筒部１３に固定された固定部６ｂを有している。弾性部材６は、十字板部６ａが略円錐体１７の凹所２０に沿うようにして器具本体４に取り付けられている。すなわち、弾性部材６は、図１に示すように、その先端側が内方にコ字形に屈曲されており、固定部（先端部）６ｂが部材取付け部としての円筒部１３の孔１５に挿入され、孔１５の上端内壁に当接している。固定部６ｂは、弾性部材６の先端側を図１中上方に反り、固定部６ｂの端面を円筒部１３の外面に当接させて、先端側を図１中下方に移動させると、固定部６ｂの端面が孔１５に達したときに弾性復帰力で孔１５に挿入される。こうして、弾性部材６は、固定部（先端部）６ｂが器具本体４の円筒部１３の孔１５に取り付けられている。
【００３８】
そして、十字板部６ａ同士の中心側でもある弾性部材６の中央部６ｃは、灯体５を構成する略円錐体１７の頂点１７ａに弾性的に接して略円筒体１７を押圧している。当該中央部６ｃは、十字板部６ａを介して固定部６ｂ，６ｂ間に亘って略円錐体１７の頂点１７ａ（灯体５の被押圧部）に弾性的に接しており、十字板部６ａとともに弾性部材６の押圧部を形成している。そして、略円筒体１７の頂点１７ａが押圧されることにより、略円筒体１７を固定しているカバー体３が押圧されて、器具本体４の基台部１４に形成された開口１６の縁部に押し付けられている。これにより、器具本体４は、カバー体３を開口１６の縁部で支持している。
【００３９】
そして、カバー体３の出射凸部１０または球状外面３ａを手で掴み器具本体４の内方側（図１中上方側）に押圧すると、略円錐体１７の頂部１７ａが弾性部材６からの押圧に抗して前記中央部６ｃを押圧し、前記中央部６ｃおよび十字板部６ａが図１中上方に弾性変形する。これにより、カバー体３の球状外面３ａと、器具本体４の開口１６の縁部との間に隙間ができ、カバー体３の球状外面３ａが回動可能となり、カバー体３が変向可能となる。
【００４０】
なお、弾性部材６の複数の固定部（先端部）６ｂは、リング状に形成され、器具本体４の孔１５をリング状の溝に形成してもよい。
【００４１】
上述したように、照明器具１は、カバー体３の出射凸部１０または球状外面３ａを手で掴み器具本体４の内方側に押圧して球状外面３ａを回動することにより、カバー体３が変向される。したがって、光源２からの光の照射方向の調節（変更）は、カバー体３を変向させることによって行える。ここで、灯体５の略円錐体１７の頂点１７ａは、器具本体４の下面４ａからの距離Ｈ２がカバー体３の球状外面３ａの最大回動範囲に対応する球状の中心Ｓ１と頂点Ｔ１を結ぶ中心軸方向の長さＨ１よりも大きい部位に設けているので、カバー体３の球状外面３ａが最大に回動されても、球状外面３ａの後端側部位３ｂが弾性部材６の十字板部６ａに当たることがないものである。すなわち、カバー体３は、前記長さＨ１の回動範囲内で支障なく変向される。
【００４２】
また、略円錐体１７の頂点１７ａは、カバー体３の球状の中心Ｓ１を中心として球状の半径（Ｄ１／２）で形成される仮想球面よりも中心Ｓ１側の部位に設けられているので、器具本体４の円筒部１３の奥行き側の大きさ（高さ）は、カバー体３が球状に形成されるよりも小さくなっている。これにより、照明器具１は、奥行き側が小形化された構成となっている。したがって、照明器具１を奥行き側の配設空間が確保されづらい造営物に容易に取り付けることができる。
【００４３】
そして、灯体５は、背面側を略円錐体１７に形成しているので、その頂点１７ａを弾性部材６の十字板部６ａおよび中央部６ｃが押圧すると、その押圧力が灯体５を器具本体４の開口１６側に均等に押し付けるものであり、これにより、カバー体３の球状外面３ａが器具本体４の開口１６の縁部に均等に押し付けられる。この結果、器具本体４は、開口１６の縁部でカバー体３を安定して支持することができる。
【００４４】
また、灯体５の背面側が略円錐体１７に形成されることにより、灯体５の背面側の構造が簡素となるので、灯体５を比較的容易にかつ安価に形成することができる。
【００４５】
次に、本発明の第２の実施形態について説明する。
【００４６】
図３は、本発明の第２の実施形態を示す照明器具の概略断面図である。なお、図１と同一部分には同一符号を付して説明は省略する。
【００４７】
図３に示す照明器具２６は、図１に示す照明器具１において、カバー本体３Ａの球状外面３ａの後端側部位３ｂがカットされて、球状体の１／２以下に形成されたカバー本体２７Ａを有してカバー体２７が形成され、略円錐体１７に代えてカバー体２７の球状の中心Ｓ１に頂点２９ａが位置する略円錐体２９を有して灯体３０が形成されたものである。これにより、器具本体３１は、奥行き側の大きさ（高さ）が円筒部１３よりも小さくなった円筒部３２を有して形成されている。照明器具２６のその他の構成は、照明器具１と同様に形成されている。
【００４８】
カバー体２７の球状外面２７ａを器具本体３１の開口１６の縁部で回動させると、カバー体２７は、球状の中心Ｓ１を支点として回転する。すなわち、カバー体２７の変向操作において、灯体３０の略円錐体２９の頂点２９ａは、ほとんど移動しないものである。これにより、弾性部材６に対する圧力や衝撃などが抑制されるので、弾性部材６の耐久性が向上される。
【００４９】
そして、灯体３０の略円錐体２９の頂点２９ａがカバー体２７の球状の中心Ｓ１に位置することにより、頂点２９ａの器具本体３１の下面３１ａからの距離Ｈ２も小さくなり、これにより、長さＨ１が小さくなるようにカバー体２７の球状外面２７ａが形成されるので、球状外面２７ａの最大回動範囲が小さくなる。すなわち、カバー体２７の変向範囲が小さくなり、光源２からの光で照射可能な照射領域が狭くなる。
【００５０】
しかし、器具本体３１の円筒部３２の奥行き側の大きさ（高さ）がより小さく形成されることにより、照明器具２６は、奥行き側の部位がより小形化されている。したがって、照明器具２６は、奥行き側の配設空間が確保されづらい造営物により容易に取り付けることができる。
【図面の簡単な説明】
【００５１】
【図１】本発明の第１の実施形態を示す照明器具の概略断面図。
【図２】同じく、照明器具の概略上面図。
【図３】本発明の第２の実施形態を示す照明器具の概略断面図。
【符号の説明】
【００５２】
１，２６…照明器具
２…光源としての発光ダイオード
３，２７…カバー体
３Ａ，２７Ａ…カバー本体
４，３１…器具本体
５，３０…灯体
６…弾性部材
６ａ…押圧部としての十字板部
６ｂ…固定部
６ｃ…押圧部としての中央部
１０…カバー体の出射部としての出射凸部
１５…部材取付け部としての孔
１６…開口
１７，２９…略円錐体
１７ａ…被押圧部としての略円錐体の頂点
２９ａ…被押圧部としての略円錐体の頂点
【図１】
2008235179.tif 000003
【図２】
2008235179.tif 000004
【図３】
2008235179.tif 000005